(57)【要約】【課題】路側機との通信中に利用者が誤ってＩＣカードを抜き取る操作を行った場合にカードの排出を抑制して自動料金収受システムを使用できる自動料金収受用車載装置を提供する。【解決手段】料金徴収用のＩＣカード１２０を装着して路側機との通信により通行料金の徴収処理を行う自動料金収受用車載装置１００において、入口料金所の車両進行方向手前に設置されている第１のアンテナとの通信を開始したときにＩＣカード１２０排出の抑制し、一方、車両進行方向奥に設置されている第２のアンテナとの通信が完了したときにＩＣカード１２０排出の抑制を解除するカード排出抑制手段１０３を備える。【選択図】  図１
2004252696.tif 000002
【特許請求の範囲】
【請求項１】
料金徴収用のＩＣカードを装着して路側機との通信により通行料金の徴収処理を行う自動料金収受用車載装置において、入口料金所の車両進行方向手前に設置されている第１のアンテナとの通信を開始したときに前記ＩＣカード排出の抑制をし、当該料金所の車両進行方向奥に設置されている第２のアンテナとの通信が完了したときに前記ＩＣカード排出の抑制を解除するカード排出抑制手段を備えたことを特徴とする自動料金収受用車載装置。
【請求項２】
前記カード排出抑制手段は、カード排出抑制中にＩＣカードを排出させる操作を行ったときに、ＩＣカード排出抑制中であることを利用者に報知するための信号を出力することを特徴とする請求項１に記載の自動料金収受用車載装置。
【発明の詳細な説明】
【０００１】
【発明の属する技術分野】
本発明は、有料道路の通行料金を自動的に徴収する自動料金収受システムを利用するための自動料金収受用車載装置に関する。
【０００２】
【従来の技術】
近年、有料道路の料金所をノンストップで走行して通行料金を自動的に徴収する自動料金収受システム（ＥＴＣ）が運用され、このシステムを利用するための自動料金収受用車載装置（以下、車載装置）が開発されている。車載装置は、料金徴収用のＩＣカードを装着した状態で路側機との間で通信を行うことにより料金所を通過した記録をＩＣカードに書き込むもので、ＩＣカードに書き込まれたデータは有料道路の通行料金徴収のために使用される。
【０００３】
そのため路側機との通信中にはＩＣカードは装置内に装着されている必要があり、自動料金収受システムを利用する際にＩＣカードを車載装置から排出抑制する機能を備えたものがある（例えば、特許文献１参照）。走行距離に応じた料金を徴収する有料道路システムでは、入口料金所において車両進行方向に２箇所の料金徴収用路側機アンテナが縦列に設置されており、自動料金収受装置と車両進行方向手前の第１アンテナとの通信が正常に完了したままの状態で、自動料金収受装置と車両進行方向奥の第２アンテナとの通信を完了することで、入口料金所を通過した記録がＩＣカードに書き込まれる。
【０００４】
【特許文献１】
特開平８−３０５９０８号公報（第４−５頁、及び第３図参照）
【０００５】
【発明が解決しようとする課題】
しかしながら、上記従来の自動料金収受用車載装置は、路側機との通信中にはＩＣカードの排出が抑制されてはいないので、例えば、入口料金所において第１アンテナとの通信が正常に行われても、利用者が誤って第２アンテナとの通信を行う前にＩＣカードを排出させてしまうと、入口料金所のデータはＩＣカードに書き込まれないという問題がある。そして、この状態では出口料金所に設置されている路側機との間で所定の通信が行なわれないので、出口料金所を正常に通過できず、もちろんこのとき使用したＩＣカードは、通行料金徴収のために使用できない。
【０００６】
このように、第１アンテナ通信完了後に利用者が誤ってＩＣカードを排出した場合には、自動料金収受システムを使用することができない。本発明は、こうした問題を解決するために、路側機との通信中に利用者が誤ってＩＣカードを抜き取る操作を行った場合にカードの排出を抑制して自動料金収受システムを正常に利用できる、自動料金収受用車載装置を提供することを目的とする。
【０００７】
【課題を解決するための手段】
本発明の自動料金収受用車載装置は、料金徴収用のＩＣカードを装着して無線通信により通行料金の徴収処理を行う自動料金収受用車載装置において、入口料金所の車両進行方向手前に設置されている第１のアンテナとの通信を開始したときにＩＣカード排出の抑制をし、一方、車両進行方向奥に設置されている第２のアンテナとの通信が完了したときにＩＣカード排出の抑制を解除するカード排出抑制手段を備えたものである。
【０００８】
これにより、入口料金所において２箇所設置されている料金徴収用路側機のアンテナ間を通過している際に、利用者が誤ってＩＣカードを抜き取る操作をしてもＩＣカードの排出を抑制して、入口料金所におけるデータをＩＣカードに正常に書き込むことができる。そして結果として、正常に自動料金収受システムを利用する。
【０００９】
【発明の実施の形態】
以下、本発明の自動料金収受用車載装置の一実施の形態を図１及び図２に基いて説明する。図１において、自動料金用収受用車載装置１００は、大きく分けて、料金徴収用路側機に備えられているアンテナ（図示しない）との間で電波の送受信を行うアンテナ１０１と、受信した電波を通信データに変換し、送信する通信データを電波に変換する無線部１０２と、自動料金収受用車載装置１００全体の制御を行う制御部１０３と、ＨＭＩ（Ｈｕｍａｎ  Ｍａｃｈｉｎｅ  Ｉｎｔｅｒｆａｃｅ）部１０４と、ＨＭＩ部１０４を介して制御部１０３から出力される制御信号により音声を出力するスピーカ１０５と、ＨＭＩ部１０４を介して制御部１０３から出力される制御信号により赤色や緑色の光を出力するＬＥＤ１０６と、キー操作により制御部１０３へＩＣカード１２０を排出させるよう命令するＩＣカード排出信号１１０が出力されるＩＣカード排出キー１０９と、ＩＣカード挿入口（図示しない）に備えられ、ＩＣカード１２０を装着したときに導通させるＩＣカードコネクタ１０７とから構成されている。
【００１０】
ここで本実施の形態において最も特徴的な構成である、カード排出抑制手段は、路側機との通信中にＩＣカード１２０の排出を抑制するものであり、これは、制御部１０３の制御により行なわれるものである。つまり、路側機との通信中、ＩＣカード排出キー１０９にてキー操作を行い、制御部１０３へＩＣカード排出検出信号１１０を出力させても、制御部１０３からはＩＣカードコネクタ１０７へＩＣカード排出信号１０８を出力しないように制御されている。
【００１１】
以下、自動料金収受用車載装置の動作を図１及び図２を用いて説明する。距離に応じた料金を徴収する有料道路システムでは、入口料金所において車両進行方向に２箇所の料金徴収用路側機アンテナが縦列に設置されている。入口料金所に入る前、利用者は予めＩＣカード１２０をＩＣカードコネクタ１０７に装着しておく。そして、車両進行方向手前に設置されている第１のアンテナであるアンテナ２０３から発信される電波がアンテナ１０１に受信され、無線部１０２で通信データに変換されると、入口料金所におけるアンテナ２０３のデータは制御部１０３を介してＩＣカード１２０に書き込まれる。これに伴い、制御部１０３に備えられている上記したカード排出抑制手段によりＩＣカード１２０の排出抑制が開始される。ＩＣカード１２０の排出抑制は車両２０１が第２のアンテナであるアンテナ２０５を通過するまで継続される。仮に、カード排出抑制中にＩＣカード排出キー１０９のキー操作を行ったときには、制御部１０３の制御によりスピーカ１０５から警告音を出力させたり、ＬＥＤ１０６を発光させたりすることにより、利用者に対してＩＣカード抑制中である旨を知らせる。
【００１２】
一方、第１アンテナ２０３との通信が失敗した場合、制御部１０３はＩＣカード１２０とＩＣカードコネクタ１０７との導通をやめ、ＩＣカード１２０の排出抑制を解除するように制御するようにしても良い。
【００１３】
また、第２アンテナ２０５との通信は、上記第１アンテナ２０３で行ったときと同様にして行い、通信が正常に終了した場合には、制御部１０３の制御によりＩＣカード１２０に入口料金所の課金情報を記録する。そしてこれに伴い、ＩＣカード１２０の排出抑制を解除するように制御される。
【００１４】
一方、第２アンテナ２０５との通信が失敗した場合、例えば路側機との間の通信が予め定められた所定の時間内に終了しなかった場合や、路側機から通信異常の指示を受け取った場合は、ＩＣカード１２０に入口料金所の課金情報は記録されず、通信の失敗を受けるに伴って制御部１０３の制御によりＩＣカード排出抑制を解除するように制御される。
【００１５】
【発明の効果】
以上、本発明の自動料金収受用車載装置は、入口料金所の車両進行方向手前に設置されている第１のアンテナとの通信を開始したときにＩＣカード排出の抑制をし、一方、車両進行方向奥に設置されている第２のアンテナとの通信が完了したときにＩＣカード排出の抑制を解除するカード排出抑制手段を備えたので、入口料金所において２箇所設置されている料金徴収用路側機のアンテナ間を通過している際に、利用者が誤ってＩＣカードを抜き取る操作をしてもＩＣカードの排出を抑制して、入口料金所におけるデータをＩＣカードに正常に書き込むことができる。そして結果として、正常に自動料金収受システムを利用することができる。
【図面の簡単な説明】
【図１】本発明の一実施の形態で用いる車載装置の全体の構成を示すブロック図
【図２】本発明の一実施の形態を示す平面図
【符号の説明】
１００  車載装置（自動料金収受用車載装置）
１０１  アンテナ
１０２  増幅・変調部
１０３  制御部
１０４  ＨＭＩ部
１０５  スピーカ
１０６  ＬＥＤ
１０７  ＩＣカードコネクタ
１０８  ＩＣカード排出信号
１０９  ＩＣカード排出キー
１１０  ＩＣカード排出検出信号
１２０  ＩＣカード
２０１  自動料金収受車両
２０２，２０４  通信領域
２０３  第１アンテナ
２０５  第２アンテナ
【図１】
2004252696.tif 000003
【図２】
2004252696.tif 000004